(57)【要約】      （修正有）【課題】多様な防寒具の種類に応じた形に変化させて使用できるとともに、レッグウォーマ等として使用するときでも、ずれ落ちて風が内部に入り込まないクッション兼用のレッグウォーマ、クッション兼用のケープ、又は、ケープ兼用のレッグウォーマを提供する。【解決手段】クッション材が空気とともに内部に入れられ、外周が略四角形に形成されたクッションにおいて、前記略四角形の左右の対向する各辺１ｄ，１ｄには互いに連結可能な一方の係止部２Ａと他方の係止部２Ｂとが各々設けられ、前記略四角形の上下の対向する各辺１ｃ，１ｃにはその長さを調整することができる調整部材４が配されており、このクッション１Ａ，１Ｂを少なくとも２つ使用して、一方のクッションと他方のクッションとを前記一方の係止部と他方の係止部とにより連結したり、連結を解除して別々のものとしたりして使用する。【選択図】図４
0003155086.tif 000002
【実用新案登録請求の範囲】
【請求項１】
綿、毛糸、羽毛、スポンジ等のクッション材が空気とともに内部に入れられ、外周が略四角形に形成されたクッションにおいて、
前記略四角形の左右の対向する各辺は、互いに連結可能な一方の係止部と他方の係止部が各々設けられ、
前記略四角形の上下の対向する各辺に、その長さを調整することができる調整部材が配されて、左右方向の長さでは、上下の対向する各辺の方が上下方向の中央部よりも短くされるか、又は、短くすることができ、
このクッションを２つ使用して、
一方のクッションと他方のクッションとの少なくとも片側を前記一方の係止部と他方の係止部とにより連結してクッションとして使用する形態と、
各々のクッションを各々の前記一方の係止部と他方の係止部とにより連結して筒状の１対のレッグウォーマとして使用する形態との２つの形態を兼ね備えることを特徴とするクッション兼用のレッグウォーマ。
【請求項２】
前記略四角形の左右の対向する各辺の少なくとも一方に、前記一方の係止部と他方の係止部との少なくとも一方を隠すための耳部が形成され、前記係止部として前記耳部に沿うように線ファスナが配されていることを特徴とする請求項１記載のクッション兼用のレッグウォーマ。
【請求項３】
綿、毛糸、羽毛、スポンジ等のクッション材が空気とともに内部に入れられ、外周が略四角形に形成されたクッションにおいて、
前記略四角形の左右の対向する各辺は、互いに連結可能な一方の係止部と他方の係止部が各々設けられ、
前記略四角形の上下の対向する各辺に、その長さを調整することができる調整部材が配されて、左右方向の長さでは、上下の対向する各辺の方が上下方向の中央部よりも短くされるか、又は、短くすることができ、
このクッションを２つ使用して、
一方のクッションと他方のクッションとの少なくとも片側を前記一方の係止部と他方の係止部とにより連結してクッションとして使用する形態と、
一方のクッションと他方のクッションとの両側を前記一方の係止部と他方の係止部とにより連結し、一方の連結部では全部連結して、他方の連結部では一部連結してケープとして使用する形態との２つの形態を兼ね備えることを特徴とするクッション兼用のケープ。
【請求項４】
前記略四角形の左右の対向する各辺の少なくとも一方に、前記一方の係止部と他方の係止部との少なくとも一方を隠すための耳部が形成され、前記係止部として前記耳部に沿うように線ファスナが配されていることを特徴とする請求項３記載のクッション兼用のケープ。
【請求項５】
前記係止部として線ファスナが配されるとともに、前記略四角形の左右の対向する各辺近傍に、ボタンとその係止穴が形成されていることを特徴とする請求項３記載のクッション兼用のケープ。
【請求項６】
綿、毛糸、羽毛、スポンジ等のクッション材が空気とともに内部に入れられ、外周が略四角形に形成されたクッションにおいて、
前記略四角形の左右の対向する各辺は、互いに連結可能な一方の係止部と他方の係止部が各々設けられ、
前記略四角形の上下の対向する各辺に、その長さを調整することができる調整部材が配されて、左右方向の長さでは、上下の対向する各辺の方が上下方向の中央部よりも短くされるか、又は、短くすることができ、
このクッションを２つ使用して、
一方のクッションと他方のクッションとの両側を前記一方の係止部と他方の係止部とにより連結し、一方の連結部では全部連結して、他方の連結部では一部連結してケープとして使用する形態と、
各々のクッションを各々の前記一方の係止部と他方の係止部とにより連結して筒状の１対のレッグウォーマとして使用する形態との２つの形態を兼ね備えることを特徴とするケープ兼用のレッグウォーマ。
【請求項７】
前記略四角形の左右の対向する各辺の少なくとも一方に、前記一方の係止部と他方の係止部との少なくとも一方を隠すための耳部が形成され、前記係止部として前記耳部に沿うように線ファスナが配されていることを特徴とする請求項６記載のケープ兼用のレッグウォーマ。
【請求項８】
前記係止部として線ファスナが配されるとともに、前記略四角形の左右の対向する各辺近傍に、ボタンとその係止穴が形成されていることを特徴とする請求項６記載のケープ兼用のレッグウォーマ。
【考案の詳細な説明】
【技術分野】
【０００１】
本考案は、綿、毛糸、羽毛、スポンジ等のクッション材が内部に入れられ、座布団やクッションの他、レッグウォーマ、ケープ（肩や背を覆う、袖のない外衣。）等にも使用可能なクッション兼用のレッグウォーマ、クッション兼用のケープ、又は、ケープ兼用のレッグウォーマに関する。
【背景技術】
【０００２】
一般に、羽毛等のクッション材が内部に入れられたクッションとしては、座布団や所定形状のクッション等がある。これらのクッションは、座布団やクッション以外で使用される場合には、その形状を変えて使用しなければならない。例えば、枕として使用するときは、丸めるようにしたり二重や三重に折り畳んだりして使用する。また、毛布等は、例えば、膝掛けに使用したり、冬場の寒い時期には、腰巻や腹巻として使用するなど、多機能防寒具として使用されることもある。こうした多機能防寒具は、１つの製品で様々な形態に対応できるため、複数の防寒具を併せ持たなくとも、例えば、体の冷える様々な箇所を局部的に温めてあげることが可能となり、非常に有用な製品である。
【０００３】
そこで、様々な目的に使用可能な製品（多目的製品）が提案されている。例えば、特許文献１では、ベストとしても、肩掛けとしてもさらに腰巻としても使用できる防寒用の多目的シートが提案されており、上辺５１の襟ぐり部６の左右に、互いに係合する少なくとも一対の襟係止部１ａ、１ｂと、左辺５２及び右辺５３に袖係止部２ａ、２ｂ、３ａ、３ｂとを備え、各係止部を止めることによって、襟ぐり部６の下方のシート中央部７が後身頃となり胸部が開閉可能なベストを形成し、また、襟係止部１ａ、１ｂを係止し、左右夫々の袖係止部２ａ，２ｂ，３ａ，３ｂを非係止とすることによって、肩当てとし、さらには、腰係止部４ａ，４ｂ，４ｃと衿係止部２ａ、３ａとを係止することによって、腰巻きとなる。
また、特許文献２では、防寒として体の冷える部分に応じて多形態に使用できる多目的ニット製品が提案されている。この多目的ニット製品は、両端が開口した無底筒状のニット製品で、開口端部間の長手方向の長さを装着者の腹部が隠れる程度の長さに形成するとともに、同一の目数でありながら編み目が密なハイゲージ部２とこれよりも編み目が粗いローゲージ部３とを有して、前記ハイゲージ部２が一部に編成されている。
【０００４】
さらに、特許文献３では、腹部から足先までの下半身を包み込み、包み込んだまま立位がとれ自由に歩け、座面から座面への移乗が出来る膝掛け及び前掛けを含む下半身防護具が提案されている、この下半身防寒具は、腰から膝までを巻いて覆うシート状の膝掛け２と、足に着脱可能なレッグウォーマ２とから構成されることで、下半身全体を覆い使用中にずり落ちることを防止することができる。
【先行技術文献】
【特許文献】
【０００５】
【特許文献１】特開２００６−５２４７８号公報
【特許文献２】実用新案登録第３１１８８４０号公報
【特許文献３】特開２００７−３１４９２２号公報
【考案の概要】
【考案が解決しようとする課題】
【０００６】
しかしながら、上述した特許文献１〜３の製品は、いずれも当初の形状が予め定まったものであって（例えば、特許文献１ではベスト又は肩掛け、特許文献２と３では、筒状形状）、これら以外の使用目的で使用するときは、無理やりその形を崩して使用しなければならない。そして、それら防寒具は、その大きさが大きくなるように連結することは想定しておらず、できたとしても、隙間が生じて風が入り込んでしまったり（防寒性に欠けたり）、そのファッション性が損なわれたりする問題を有する。特に、冬の季節のスポーツ観戦やアウトドアでの防寒具の使用は、座布団や膝掛けの他、レッグウォーマや肩掛け等のような幅広い形態が考えられるが、これらの多種の形態の形状に全て合わせることはできない問題を有する。
そして、防寒具として使用するときには、保温性を高める必要が有り、例えば、袖口や首周りは風が入り込まないもので、その収納状態もコンパクトに折り畳まれるような構造であることが理想であり、そして製造が容易なことも望まれる。
【０００７】
ここで、特許文献２では、両端が開口した無底筒状のニット製品をその長手方向に分割可能に編成して、変形させて２つの無底筒状にしてレッグウォーマとすることができると記載されている（その段落００５０）。
しかしながら、特許文献２では、ニット製品であるため防風性に劣り、屋外でのスポーツ観戦やキャンプなどのアウトドアでの使用では十分な保温性を有さない。また、伸縮性部材が弱すぎて、ずれ落ちる危険性が高く、風が入り込むことは必至である。また、ふくらはぎに嵌めて上端を折り返して使用すると記載されているように（その段落００５０）、そもそもレッグウォーマとしての使用を予定していない形状のものを無理やりレッグウォーマとして使用するような内容である。
【０００８】
そこで、本考案の目的は、外観上は通常の略四角形状のクッションではあるが、多様な防寒具（座布団、膝掛け、レッグウォーマ、ケープ等）に応じた形に変化させて使用できるとともに、防寒具としてのレッグウォーマやアームウォーマ等として使用するときでも、ずれ落ちたり、風が内部に入り込まないようにしたクッション兼用のレッグウォーマ、クッション兼用のケープ、又は、ケープ兼用のレッグウォーマを提供することにある。以下、クッション兼用のレッグウォーマ、クッション兼用のケープ、又は、ケープ兼用のレッグウォーマの３つの防寒具を総称して多機能防寒具とする。
【課題を解決するための手段】
【０００９】
本考案のクッション兼用のレッグウォーマは、綿、毛糸、羽毛、スポンジ等のクッション材が空気とともに内部に入れられ、外周が略四角形に形成されたクッションにおいて、前記略四角形の左右の対向する各辺は、互いに連結可能な一方の係止部と他方の係止部が各々設けられ、前記略四角形の上下の対向する各辺に、その長さを調整することができる調整部材が配されて、左右方向の長さでは、上下の対向する各辺の方が上下方向の中央部よりも短くされるか、又は、短くすることができ、このクッションを２つ使用して、一方のクッションと他方のクッションとの少なくとも片側を前記一方の係止部と他方の係止部とにより連結してクッションとして使用する形態と、各々のクッションを各々の前記一方の係止部と他方の係止部とにより連結して筒状の１対のレッグウォーマとして使用する形態との２つの形態を兼ね備えることを特徴とする。
ここで、本考案の調整部材とは、伸縮性のある糸、紐、ゴム等や、伸縮性を有さない紐等でもストッパー（絞り金具など）を取りつけたもの、また、紐の端部に結び目を設け長さを調整（絞るように）したりすることができるものを言う。なお、調整部材としては、伸縮性のある糸、紐、ゴム等を用いた伸縮性部材が体の動きに追従して動くため、保温性や体の動きやすさの観点より好ましい。また、本考案でのレッグウォーマには、同じように使用されるアームウォーマを権利範囲に含むものとして使用する。
【００１０】
本考案によれば、２つのクッションの対向する左右の各辺に備えられた係止部で連結することで、横並び方向に連結される膝掛けや座布団のような大きなクッションとして使用できるとともに、２つのクッションから構成される大きな筒状のものを２重のクッションや腰巻きや腹巻きとして使用することもでき、他方、各々のクッションを互いの係止部で筒状に連結することで、一対のレッグウォーマ（或いはアームウォーマ）として使用することができる。一対のレッグウォーマ（或いはアームウォーマ）として使用する場合も、２つのクッションから構成される大きな筒状のものを腰巻きや腹巻きとして使用する場合もクッション材が内部に用いられており、かつ、その上下の対向する各辺に調整部材が配されているため、ずれ落ちが防止されるとともに、風が入り込むことが防止される。
また、略四角形のクッションの左右の両辺が円弧形状になり、各々を筒状に連結すると、中央がやや膨出して上下の開口部が縮径した形（正方形や長方形から太鼓形状）になるので、ふくらはぎ（膝下から足の甲よりも上の部分）の形状にマッチした形になるとともに、ずれ落ちがし難い形状になる。
【００１１】
本考案としては、前記略四角形の左右の対向する各辺の少なくとも一方に、前記一方の係止部と他方の係止部との少なくとも一方を隠すための耳部が形成され、前記係止部として前記耳部に沿うように線ファスナが配されていることが好ましい。
本考案によれば、一方のクッションと他方のクッションとを一方の係止部及び他方の係止部とにより連結するときには、耳部によりそれら係止部を隠すことができる。ここで、耳部は、クッションの正面視において、左右の対向する各辺に設けられた一方の係止部（他方の係止部）に対して前面もしくは背面に配置されており、左右の各辺端部領域に形成される。この耳部は、左右の対向する各辺のいずれか一方に設けられても良いし、両方に設けられても良い。この耳部が形成されることで、一方の係止部及び他方の係止部のどちらか一方または両方が隠されるので、連結部の繋ぎ目が分からず外観上一体ものとして美観性がよくなり、また、連結部分での防寒性も保たれる。例えば、１つの耳部で一方の係止部と他方の係止部との両方を隠してもよく、２つの耳部により各係止部をそれぞれ隠してもよい。また、一方の係止部（他方の係止部）を間に挟むようにその両面に耳部を設けることによって、それら係止部を隠すことも可能である。
また、２つのクッションの一方の係止部及び他方の係止部の各係止部に線ファスナが用いられることで、クッションの連結及び分離を容易且つ速やかに行うことができる。また、クッションの係止部間をほとんど隙間なく連結することができるので、防寒性の向上が図られる。なお、各係止部には、線ファスナ以外に、面ファスナ、ボタン、フックなど公知の係止具を用いることができる。
【００１２】
本考案のクッション兼用のケープは、綿、毛糸、羽毛、スポンジ等のクッション材が空気とともに内部に入れられ、外周が略四角形に形成されたクッションにおいて、前記略四角形の左右の対向する各辺は、互いに連結可能な一方の係止部と他方の係止部が各々設けられ、前記略四角形の上下の対向する各辺に、その長さを調整することができる調整部材が配されて、左右方向の長さでは、上下の対向する各辺の方が上下方向の中央部よりも短くされるか、又は、短くすることができ、このクッションを２つ使用して、一方のクッションと他方のクッションとの少なくとも片側を前記一方の係止部と他方の係止部とにより連結してクッションとして使用する形態と、一方のクッションと他方のクッションとの両側を前記一方の係止部と他方の係止部とにより連結し、一方の連結部では全部連結して、他方の連結部では一部連結してケープとして使用する形態との２つの形態を兼ね備えることを特徴とする（請求項３）。
【００１３】
本考案によれば、２つのクッションの対向する左右の各辺に備えられた係止部で連結することで、横並び方向に連結される膝掛けや座布団のような大きなクッションとして使用できるとともに、２つのクッションの両側を連結して筒状にして２重のクッションや腹巻きや腰巻きとして、また、一方の連結部では全部連結して、他方の連結部では一部連結することで、ケープ（肩や背を覆う、袖のない外衣）として使用することができる。ケープとしてとして使用する場合も、２つのクッションから構成される大きな筒状のものを腰巻きや腹巻きとして使用する場合も、その上下の対向する各辺に調整部材が配されているため、ずれ落ちが防止されるとともに、風が入り込むことが防止される。
【００１４】
また、本考案としては、前記略四角形の左右の対向する各辺の少なくとも一方に、前記一方の係止部と他方の係止部との少なくとも一方を隠すための耳部が形成され、前記係止部として前記耳部に沿うように線ファスナが配されていることが好ましい。
本考案によれば、一方のクッションと他方のクッションとを一方の係止部及び他方の係止部とにより連結するときには、耳部によりそれら係止部を隠すことができる。ここで、耳部は、クッションの正面視において、左右の対向する各辺に設けられた一方の係止部（他方の係止部）に対して前面もしくは背面に配置されており、左右の各辺端部領域に形成される。この耳部は、左右の対向する各辺のいずれか一方に設けられても良いし、両方に設けられても良い。この耳部が形成されることで、一方の係止部及び他方の係止部のどちらか一方または両方が隠されるので、連結部の繋ぎ目が分からず外観上一体ものとして美観性がよくなり、また、連結部分での防寒性も保たれる。例えば、１つの耳部で一方の係止部と他方の係止部との両方を隠してもよく、２つの耳部により各係止部をそれぞれ隠してもよい。また、一方の係止部（他方の係止部）を間に挟むようにその両面に耳部を設けることによって、それら係止部を隠すことも可能である。
また、２つのクッションの一方の係止部及び他方の係止部の各係止部に線ファスナが用いられることで、クッションの連結及び分離を容易且つ速やかに行うことができる。また、クッションの係止部間をほとんど隙間なく連結することができるので、防寒性の向上が図られる。なお、各係止部には、線ファスナ以外に、面ファスナ、ボタン、フックなど公知の係止具を用いることができる。
【００１５】
また、本考案としては、前記係止部として線ファスナが配されるとともに、前記略四角形の左右の対向する各辺近傍に、ボタンとその係止穴が形成されていることが好ましい。
本考案によれば、係止部として線ファスナが配されているのに加えて、ボタンとその係止穴が形成されることで、ケープ等の形態において線ファスナが一部連結の場合に、左右の各辺途中で留まっているその線ファスナがボタンによる係止により固定されることが可能となる。また、耳部に配置されたボタンとその係止穴により、耳部同士を装着させることができるので、確実に線ファスナを隠すことも可能となるとともに、外部から力が加わっても耳部がめくれたりすることを防止することができる。
【００１６】
本考案のケープ兼用のレッグウォーマは、綿、毛糸、羽毛、スポンジ等のクッション材が空気とともに内部に入れられ、外周が略四角形に形成されたクッションにおいて、前記略四角形の左右の対向する各辺は、互いに連結可能な一方の係止部と他方の係止部が各々設けられ、前記略四角形の上下の対向する各辺に、その長さを調整することができる調整部材が配されて、左右方向の長さでは、上下の対向する各辺の方が上下方向の中央部よりも短くされるか、又は、短くすることができ、このクッションを２つ使用して、一方のクッションと他方のクッションとの両側を前記一方の係止部と他方の係止部とにより連結し、一方の連結部では全部連結して、他方の連結部では一部連結してケープとして使用する形態と、各々のクッションを各々の前記一方の係止部と他方の係止部とにより連結して筒状の１対のレッグウォーマとして使用する形態との２つの形態を兼ね備えることを特徴とする（請求項６）。
【００１７】
本考案によれば、２つのクッションの対向する左右の各辺に備えられた係止部で連結する際、それら２つのクッションの両側を連結して一方の連結部では全部連結して、他方の連結部では一部連結することで、ケープ（肩や背を覆う、袖のない外衣）として使用することができるとともに、各々のクッションを互いの係止部で筒状に連結することで、一対のレッグウォーマ（或いはアームウォーマ）として使用することができる。ケープとして使用する場合も、一対のレッグウォーマ（或いはアームウォーマ）としての使用する場合も、その上下の対向する各辺に調整部材が配されているため、ずれ落ちが防止されるとともに、風が入り込むことが防止される。
また、略四角形のクッションの左右の両辺が円弧形状になり、各々を筒状に連結すると、中央がやや膨出して上下の開口部が縮径した形（正方形や長方形から太鼓形状）になるので、ふくらはぎ（膝下から足の甲よりも上の部分）の形状にマッチした形になるとともに、ずれ落ちがし難い形状になる。
【００１８】
また、本考案としては、前記略四角形の左右の対向する各辺の少なくとも一方に、前記一方の係止部と他方の係止部との少なくとも一方を隠すための耳部が形成され、前記係止部として前記耳部に沿うように線ファスナが配されていることが好ましい。
本考案によれば、一方のクッションと他方のクッションとを一方の係止部及び他方の係止部とにより連結するときには、耳部によりそれら係止部を隠すことができる。ここで、耳部は、クッションの正面視において、左右の対向する各辺に設けられた一方の係止部（他方の係止部）に対して前面もしくは背面に配置されており、左右の各辺端部領域に形成される。この耳部は、左右の対向する各辺のいずれか一方に設けられても良いし、両方に設けられても良い。この耳部が形成されることで、一方の係止部及び他方の係止部のどちらか一方または両方が隠されるので、連結部の繋ぎ目が分からず外観上一体ものとして美観性がよくなり、また、連結部分での防寒性も保たれる。例えば、１つの耳部で一方の係止部と他方の係止部との両方を隠してもよく、２つの耳部により各係止部をそれぞれ隠してもよい。また、一方の係止部（他方の係止部）を間に挟むようにその両面に耳部を設けることによって、それら係止部を隠すことも可能である。
また、２つのクッションの一方の係止部及び他方の係止部の各係止部に線ファスナが用いられることで、クッションの連結及び分離を容易且つ速やかに行うことができる。また、クッションの係止部間をほとんど隙間なく連結することができるので、防寒性の向上が図られる。なお、各係止部には、線ファスナ以外に、面ファスナ、ボタン、フックなど公知の係止具を用いることができる。
【００１９】
また、本考案としては、前記係止部として線ファスナが配されるとともに、前記略四角形の左右の対向する各辺近傍に、ボタンとその係止穴が形成されていることが好ましい。
本考案によれば、係止部として線ファスナが配されているのに加えて、ボタンとその係止穴が形成されることで、ケープ等の形態において線ファスナが一部連結の場合に、左右の各辺途中で留まっているその線ファスナがボタンによる係止により固定されることが可能となる。また、耳部に配置されたボタンとその係止穴により、耳部同士を装着させることができるので、確実に線ファスナを隠すことも可能になるとともに、外部から力が加わっても耳部がめくれたりすることを防止することができる。
【考案の効果】
【００２０】
本考案によれば、２つのクッションの左右の両辺に備えられた各係止部で互いに連結したり取り外したりすることで、それら２つのクッションの形状を容易且つ簡単に変更することができる。すなわち、２つのクッションを連結することで、膝掛け、座布団、ケープ等の防寒具を容易且つ早急に組み立てて様々な防寒具へ転用することができるとともに、それら連結された防寒具を分離し、独立した２つのクッションを各々の係止部で連結して筒状に形成することで、一対のレッグウォーマやアームウォーマを組み立てることができる。これより、２つのクッションを連結及び分離することで、クッション兼用のレッグウォーマ、クッション兼用のケープ、又は、ケープ兼用のレッグウォーマといった多形態防寒具を得ることができる。
なお、二重の内外に配した筒状にすると、枕としての使用に好適であるとともに、コンパクトに持ち運べる収納状態でもある。そして、市販の冬用ジャケットやジャンパ等と組み合わせて使用すると、ファッションセンスに優れた防寒具として使用可能になる。
【図面の簡単な説明】
【００２１】
【図１】本考案の第１の実施形態の耳部が設けられた状態の多機能防寒具（クッション兼用のレッグウォーマ、クッション兼用のケープ、又は、ケープ兼用のレッグウォーマ）を示す正面図であり、図１（ａ）は調整部材及びクッション材を配する前の状態を示す正面図であり、図１（ｂ）は調整部材及びクッション材を配することにより左右の各辺が円弧状になった状態を示す正面図である。
【図２】本考案の第１の実施形態の耳部が設けられた状態の多機能防寒具（クッション兼用のレッグウォーマ、クッション兼用のケープ、又は、ケープ兼用のレッグウォーマ）を示す図であり、図２（ａ）はその正面図であり、図２（ｂ）はその右側面図である。
【図３】上記第１の実施形態の２つのクッションが横並び方向に連結して一体となった状態を説明する図であり、図３（ａ）はその正面図であり、図３（ｂ）はその背面図である。
【図４】上記第１の実施形態の多機能防寒具（クッション兼用のレッグウォーマ、又は、クッション兼用のケープ）を膝掛けとして使用する例を説明する図であり、図４（ａ）はその正面図、図４（ｂ）はその使用状態を示す斜視図である。
【図５】上記第１の実施形態の多機能防寒具（クッション兼用のレッグウォーマ、又は、ケープ兼用のレッグウォーマ）をレッグウォーマとして使用する例を説明する図であり、図５（ａ）はその正面図であり、図５（ｂ）はその側面図であり、図５（ｃ）はその使用状態を示す斜視図である。
【図６】上記第１の実施形態の多機能防寒具（クッション兼用のレッグウォーマ、又は、クッション兼用のケープ）を座布団として使用する例を説明する図であり、図６（ａ）はその正面図であり、図６（ｂ）はその側面図であり、図６（ｃ）はその使用状態を示す斜視図である。
【図７】上記第１の実施形態の多機能防寒具（クッション兼用のケープ、又は、ケープ兼用のレッグウォーマ）をケープとして使用する例を説明する図であり、図７（ａ）はその正面図であり、図７（ｂ）はその背面図、図７（ｃ）はその使用状態を示す斜視図である。
【図８】上記第１の実施形態の多機能防寒具（クッション兼用のレッグウォーマ、クッション兼用のケープ、又は、ケープ兼用のレッグウォーマ）を枕に組立てる手順を説明する図であり、図８（ａ）は２つのクッションを各々筒状に連結する状態の正面図であり、図８（ｂ）は一方の筒状のクッションに他方の筒状のクッションを収納して二重の筒状の枕を示す正面図である。
【図９】上記第１の実施形態の多機能防寒具（クッション兼用のレッグウォーマ、クッション兼用のケープ、又は、ケープ兼用のレッグウォーマ）の変形例を説明する正面図である。
【図１０】図１０は、上記第１の実施形態のクッションを４つ連結した状態を説明する図であって、図１０（ａ）は耳部のボタン（中央部）を装着する前の平面図、図１０（ｂ）は耳部のボタン（中央部）を装着した後の平面図である。
【図１１】上記第１の実施形態の多機能防寒具の変形例を説明する図であり、図１１（ａ）は２つのクッションを連結してケープとして構成した正面図であり、図１１（ｂ）はその右側面図であり、図１１（ｃ）はその背面図であり、図１１（ｄ）はその平面図であり、図１１（ｅ）はその使用態様を示す斜視図である。
【図１２】上記図１１の２つの構成部品を説明する図であり、図１２（ａ）は一方の構成部品１Ａの正面図であり、図１２（ｂ）はその背面図であり、図１２（ｃ）はその右側面図であり、図１２（ｄ）はその平面図であり、図１２（ｅ）は他方の構成部品１Ｂの正面図であり、図１２（ｆ）はその背面図であり、図１２（ｇ）はその右側面図であり、図１２（ｈ）はその平面図である。
【図１３】上記第１の実施形態の多機能防寒具の変形例を説明する図であり、図１３（ａ）は２つの構成部品（クッション）を連結して二重のクッションとして組み付けた状態の正面図であり、図１３（ｂ）はその左側面図であり、図１３（ｃ）はその右側面図であり、図１３（ｄ）はその背面図であり、図１３（ｅ）はその平面図であり、図１３（ｆ）はその底面図である。
【図１４】上記図１３の構成部品（クッション）を説明する図であり、図１４（ａ）はその正面図であり、図１４（ｂ）はその左側面図であり、図１４（ｃ）はその右側面図であり、図１４（ｄ）はその背面図であり、図１４（ｅ）はその平面図であり、図１４（ｆ）はその底面図である。
【図１５】上記図１４の構成部品を２つ用いてひざ掛けとして組み付けた状態の図であり、図１５（ａ）はその正面図であり、図１５（ｂ）はその左側面図であり、図１５（ｃ）はその右側面図であり、図１５（ｄ）はその背面図であり、図１５（ｅ）はその平面図であり、図１４（ｆ）はその底面図である。
【図１６】上記図１４の構成部品をレッグウォーマとして組み付けた状態の図であり、図１６（ａ）はその正面図であり、図１６（ｂ）はその左側面図であり、図１６（ｃ）はその右側面図であり、図１６（ｄ）はその背面図であり、図１６（ｅ）はその平面図であり、図１６（ｆ）はその底面図である。
【図１７】上記図１４の構成部品を２つ用いてケープとして組み付けた状態の図であり、図１７（ａ）はその正面図であり、図１７（ｂ）はその左側面図であり、図１７（ｃ）はその右側面図であり、図１７（ｄ）はその背面図であり、図１７（ｅ）はその平面図であり、図１７（ｆ）はその底面図である。
【考案を実施するための形態】
【００２２】
以下、本考案を実施するための形態を図面を引用しながら説明する。
【００２３】
図１は、本考案の第１の実施形態の耳部を除去した状態の多機能防寒具（クッション兼用のレッグウォーマ、クッション兼用のケープ、又は、ケープ兼用のレッグウォーマ）を示す正面図であり、図１（ａ）は調整部材及びクッション材を配する前の状態を示す正面図であり、図１（ｂ）は調整部材及びクッション材を配することにより左右の各辺が円弧状になった状態を示す正面図である。なお、図１は耳部を除去した状態の図であるが、このような耳部を除去した状態の実施の形態も本考案に含まれる。図２は、本発明の第１の実施形態の耳部が設けられた状態の多機能防寒具（クッション兼用のレッグウォーマ、クッション兼用のケープ、又は、ケープ兼用のレッグウォーマ）を示す図であり、図２（ａ）はその正面図であり、図２（ｂ）はその右側面図である。図３は、第１の実施形態の２つのクッションが横並び方向に連結して一体となった状態を説明する図であり、図３（ａ）はその正面図であり、図３（ｂ）はその背面図である。
本実施の形態の多機能防寒具Ｚ１は、図１及び図２に示すように、一方のクッション１Ａと他方のクッション１Ｂとの２つのクッションからなり、これらは同じ形状の大きさ（辺１ｃと辺１ｄの長さが約３０ｃｍ程度のほぼ正方形状）のものである。一方のクッション１Ａと他方のクッション１Ｂは、羽毛（ダウン）のクッション材が空気とともに内部に入れられ、外周が略四角形に形成されている。ダウンと空気の層を作ることにより暖かさを保つ（体温を逃がさない）構造である。生地は、撥水加工されたナイロン生地である。すなわち、クッション１Ａ，１Ｂの生地は、ダウンジャケットやスキーウエア等の生地が使用され、表面に撥水加工が施されている。また、クッション１Ａ，１Ｂの生地は、ダウンが生地から出てこないようにダウンプルーフ加工（若しくはウレタン樹脂などを用いたコーティング加工やラミネート加工による防水加工）がなされており、防風性に優れ防寒具内への寒風の侵入を防ぐ。なお、生地は、ナイロン生地の他に、ポリエステル生地など他の素材のものであっても良い。
【００２４】
クッション１Ａ，１Ｂは、その上下の対向する各辺１ｃ，１ｃ、及びその左右の対向する各辺１ｄ，１ｄは共に直線状であり、図１（ａ）に示すように、当初は全体が四角形（平面で正方形）を呈しており、上下の対向する各辺１ｃ，１ｃに伸縮性を有する糸やゴム等の調整部材４が直線状に配され、又、クッション材が配されることで、図１（ｂ）に示すように、左右両端を円弧状にしている。
そして、左右の対向する各辺１ｄ、１ｄに亘って、上下の対向する各辺１ｃ、１ｃに対して平行な直線状の縫合部Ｎが複数配され、これにより内部のクッション材と空気が複数段で区画されている。上下の区画部Ｋ１、Ｋ１には、調整部材４が見えないように配されており、この調整部材４は、クッション１Ａ，１Ｂ内部で、その両端部が一方の係止部２Ａ及び他方の係止部２Ｂのクッション側の縁部とそれぞれ接合されて固定されている。これにより、調整部材４は、その伸縮性の機能を発揮して、クッション１Ａ，１Ｂの左右両端１ｄ，１ｄを円弧状にする。なお、調整部材４は、一方の係止部２Ａ及び他方の係止部２Ｂの縁部のみに接合されるのに限定されず、耳部５の縁部やその他の部分に固定されてもよい。また、クッション１Ａ，１Ｂの区画部Ｋ１、Ｋ１に切り込み口を設けて、調整部材４の両端部がクッション１Ａ，１Ｂの外側に出るようにしてもよい。この場合、調整部材４の両端部を結んで絞ってもよいし、それぞれの端部に絞り金具等を設けて各端部から内側に金具を寄せて絞ってもよい。これより、調整部材４の両端部を固定しなくても、クッション１Ａ，１Ｂの左右辺１ｄ、１ｄを円弧状にすることができる。
【００２５】
複数の縫合部Ｎは、図２（ａ）に示すように、クッション１Ａ、１Ｂの各上下辺１ｃ，１ｃ側から順にその長さが異なり（Ｌ２＜Ｌ３＜Ｌ４）、調整部材４による対向する上下の各辺１ｃ，１ｃの長さＬ１は、複数の縫合部Ｎの長さＬ２，Ｌ３，Ｌ４に対してＬ１≦Ｌ２＜Ｌ３＜Ｌ４の関係になっている。したがって、クッション１Ａ，１Ｂの左右の各辺１ｄ，１ｄは、中央がやや膨出した円弧形状になっている。ここで、Ｌ１≦Ｌ２としたのは、上記縫合部Ｎ１の位置が上下の対向する各辺１ｃに近いために、各長さが同じ長さになる場合があるためである。なお、複数の縫合部Ｎの各々の間隔は、全て等間隔であってもよいし、各々異なっていてもよく、任意に設定することができる。また、縫合部Ｎの縫合間隔ｐは、全て等間隔であってもよいし、各々異なっていてもよく、任意に設定することができる。なお、本実施の形態では、複数の縫合部Ｎの縫合間隔ｐは、図２に示すように、全て等間隔である。
【００２６】
図９は、上記第１の実施形態の多機能防寒具の変形例を説明する正面図である。縫合部Ｎ１〜Ｎ３は、それぞれ異なる縫合間隔ｐ２，ｐ３，ｐ４を有している。中央の縫合部Ｎ３の縫合間隔ｐ４よりも縫合部Ｎ２の縫合間隔ｐ３が細かく、縫合部Ｎ２の縫合間隔ｐ３よりも縫合部Ｎ１の縫合間隔ｐ２が細かくなっている。また、縫合部Ｎ３，Ｎ２の長さＬ４，Ｌ３よりも上下の対向する各辺１ｃ，１ｃの長さＬ１が短くなっている。足の脹脛（ふくらはぎ）の形状にマッチさせるためである。また、伸縮性部材である場合の調整部材４の弾力性が弱まって、その機能を発揮しなくなった場合でも、四角形のクッション１Ａ（或いは１Ｂ）の左右の両辺１ｃ，１ｃが円弧形状になり、各々を筒状に連結すると、中央がやや膨出して上下の開口部が縮径した形（太鼓形状）になるようにするためである。
【００２７】
クッション１Ａ，１Ｂの略四角形の左右の対向する各辺１ｄ，１ｄは、同じ長さであり、互いに連結可能な一方の係止部２Ａと他方の係止部２Ｂとが各々設けられている。一方の係止部２Ａと他方の係止部２Ｂとしては、ファスナ（線ファスナ、面ファスナ等）及びボタン等を使用できるが、本実施の形態では、線ファスナを採用した。つまり、一方の係止部２Ａ（若しくは他方の係止部２Ｂ）は、エレメント（噛み合う部分であり、務歯頭部とも言いい、これが噛み合うことでファスナの働きをする。）Ｆｅと、スライダー（ファスナを開閉する時に、エレメントをかみ合わせたり離したりする役目をする。）Ｆｓからなり、一方、他方の係止部２Ｂ（若しくは一方の係止部２Ａ）では、エレメントＦｅのみからなる構成のファスナである。一方の係止部２Ａと他方の係止部２Ｂとしては、上述したように、線ファスナ以外でも面ファスナやボタン等でも良いが、線ファスナを用いた場合には、風の侵入の遮断効果等の他に、対向する左右の各辺１ｄ、１ｄが調整部材４により円弧状であっても、スライダーＦｓに追従して容易に開閉作業が行なえる。なお、リバーシブル仕様の両面タイプの線ファスナを採用しても良い。
【００２８】
また、左右の対向する各辺１ｄ，１ｄには、図２及び図３に示すように、耳部５が形成されている。図２及び図３に示す本実施の形態では、耳部５は、一方のクッション１Ａ及び他方のクッション１Ｂともに、左右の両辺１ｄに配置されている。具体的には、一方のクッション１Ａにおいては、左辺１ｄで一方の係止部２Ａの前面に、右辺１ｄで他方の係止部２Ｂの背面となるように配置され、また、他方のクッション１Ｂにおいては、耳部５は、左辺１ｄで一方の係止部２Ａの背面に、右辺１ｄで他方の係止部２Ｂの前面となるように配置されている。すなわち、一方のクッション１Ａ及び他方のクッション１Ｂの各右辺の耳部５は、図２（ｂ）に示すように、側面視で一方の係止部２Ｂに対して、前面と背面とが逆に配置されている。ただし、耳部５は、一方のクッション１Ａ（もしくは他方のクッション１Ｂ）の正面から見て、係止部２Ａの背面もしくは前面のどちらに設けられてもよく、また、前面及び背面の両面に（耳部５がその間に挟まれるように）設けられてもよい。また、一方の係止部２Ａと他方の係止部２Ｂを互いに係止するときに、耳部５が邪魔にならないようにすることと、線ファスナである一方の係止部２Ａ及び他方の係止部２ＢのスライダーＦｓに噛み込みが生じないようにするために、一方のクッション１Ａ（もしくは他方のクッション１Ｂ）の右辺１ｄ（もしくは左辺１ｄ）にのみの片辺の耳部５が設けられてもよい。
この耳部５は、一方の係止部２Ａと他方の係止部２Ｂとを隠すためのもので、これら一方の係止部２Ａと他方の係止部２Ｂとを図２（ａ）に示す矢印の方向に近づけ、図３（ａ）のように連結したときには、図３（ｂ）に示すように、これら２つの係止部２Ａ，２Ｂのいずれも中央の耳部５に隠れるようになる。なお、図２及び図３では、それぞれ、一方の係止部２Ａと他方の係止部２Ｂの隠れた様子を明確化するため、それら一方の係止部２Ａと他方の係止部２Ｂを点線にて示している。
【００２９】
一方の係止部１Ａ及び他方の係止部２Ｂは、一方のクッション１Ａ（もしくは他方のクッション１Ｂ）の左右辺１ｄ，１ｄから外側に突出するように、その端部に取り付けているものでも良い（図１）。なお、一方の係止部１Ａ及び他方の係止部２Ｂは、それに限定されず、一方のクッション１Ａ（もしくは他方のクッション１Ｂ）の左右辺１ｄ、１ｄの内側に取り付けられても良い。また、線ファスナである一方の係止部２Ａ及び他方の係止部２Ｂの各近傍に、ボタンや面ファスナを係止部として更に加えて取り付けることで、複数の係止部によって、一方のクッション１Ａと他方のクッション１Ｂとを連結することも可能である。このとき、ボタンや面ファスナが縫合部Ｎ上に位置して配されている場合には、縫合部Ｎ上ではクッション材が配置されず生地の厚みが薄いので、その取り付けが容易で、係止作業もし易くなる。
【００３０】
次に、本実施の形態の多機能防寒具（クッション兼用のレッグウォーマ、クッション兼用のケープ、又は、ケープ兼用のレッグウォーマ）Ｚ１の使用例を説明する。図４〜図８は、多機能防寒具Ｚ１の使用例を説明する図である。
まず、膝掛けＨＫとして使用するときは、図４（ａ）（ｂ）に示すように、一方のクッション１Ａと他方のクッション１Ｂとを前記一方の係止部２Ａと他方の係止部２Ｂとにより連結する。線ファスナである係止部２Ａ，２Ｂは、左右の各辺１ｄ，１ｄの各エレメントＦｅで係止された後、スライダーＦｓを移動させると左右のエレメントＦｅが歯合して連結される。ここでは、横並びにするために一箇所連結する。ここで、耳部５があることで、連結された線ファスナ２Ａ，２Ｂは一方の面では認識され難くなる。
そして、一方のクッション１Ａと他方のクッション１Ｂとを開くようにして膝の上に掛ける（図４（ｂ））。このとき、上記係止部２Ａ，２Ｂによる連結箇所が膝と膝との間になるようにすると（膝と膝との間に入り込むようにすると）、一方のクッション１Ａと他方のクッション１Ｂが各々の足を巻きつけるようになるとともに、前後は伸縮部材４により、足の前後は縮むようになり、冷風が入り込み難くする。
【００３１】
次に、レッグウォーマＬＧとして使用するときは、図５（ａ）（ｂ）（ｃ）に示すように、一方のクッション１Ａと他方のクッション１Ｂとを別々にして、この２つのクッション１Ａ，１Ｂを自らの持つ一方の係止部２Ａと他方の係止部２Ｂとにより各々連結して、筒状に形成する。そして、左右の足にレッグウォーマＬＧを装着すると、上下の対向する各辺１ｃ，１ｃに調整部材４が配されているので、膝下部分と足の甲の上部分を狭めるようになり、又、クッション材を用いていることにより膝下部全体をホールドする状態となり、レッグウォーマＬＧがずれ落ちることと、風が入り込むことを防止する。
ここで、外面に耳部５が配されることで、一方の係止部２Ａ及び他方の係止部２Ｂが外部から認識され難くなり、ファッション性が保たれる。また、耳部５を左右の各辺１ｄ，１ｄの両方に取り付けると共に、この左右の耳部５を一方のクッション１Ａ（もしくは他方のクッション１Ｂ）の側面視において、一方の係止部２Ａ及び他方の係止部２Ｂに対して互いに前面及び背面、すなわち逆面になるように配置すると（図２参照）、外面だけでなく内面でも係止部２Ａ、２Ｂが耳部５に隠れることで、身体（ふくらはぎ）の方も係止部２Ａ（或いは２Ｂ）に直接接触し無くなる。
【００３２】
次に、座布団として使用するときは、図６（ａ）（ｂ）（ｃ）に示すように、一方のクッション１Ａと他方のクッション１Ｂとを一方の係止部２Ａと他方の係止部２Ｂとにより連結する。ここで、一方のクッション１Ａと他方のクッション１Ｂとは、本実施の形態のように、その左右両側の２箇所を連結して筒状にした座布団、言い換えれば、重ね合わさるように連結した座布団としても良く、又、一方のクッション１Ａと他方のクッション１Ｂとの左右どちらか片側の１箇所を連結して大きなシート状にした座布団として使用しても良い。２つのクッション１Ａ，１Ｂを筒状にしてその上から座る座布団ＳＴとして使用するときは、上下の開口部は、伸縮性部材の場合の調整部材４の締め付け力が強いために、前後がやや盛り上がるようになり、臀部の前後を包むようになり、座り心地が良くなる。
ここで、一方のクッション１Ａと他方のクッション１Ｂとの左右両側の２箇所を連結して筒状にした場合は、腰巻きや腹巻きとして使用することもできる。そして、このように２個のクッション１Ａ，１Ｂで一つの筒状に連結形成するときも、円弧形状になる左右の各辺１ｄ，１ｄにより、腰等の形状にフィットする形状になり、腰巻き等にも好適なものとなる。筒状にしてから装着するか、それを腰に巻き付けてから、一方の係止部２Ａと他方の係止部２Ｂとを係止することで、例えば冬場でのスポーツ観戦をするときに好適なものとなる。
【００３３】
次に、ケープＫＰとして使用するときは、図７（ａ）（ｂ）（ｃ）に示すように、一方のクッション１Ａと他方のクッション１Ｂとを一方の係止部２Ａと他方の係止部２Ｂとにより左右両側の２箇所で連結し、それら連結箇所が正面視において、前面及び背面の中心となるように使用する。背面の連結では、図７（ｂ）に示すように、一方の係止部２Ａと他方の係止部２Ｂとを連続して全体で係止し、他方、前面の連結では、図７（ａ）に示すように、一方の係止部２Ａと他方の係止部２Ｂとを上方側のみで係止する。装着方法は、一方の係止部２Ａと他方の係止部２Ｂとを全部連結した状態で（身体の背中側）、肩にかけるようにして、身体（胸）の正面側で、一方の係止部２Ａと他方の係止部２Ｂとを一部連結する。このように装着すると、肩から背中にかけて覆うケープＫＰとしての使用が可能になる。このとき、首の付近は、上下の対向する各辺１ｃ，１ｃの調整部材４の作用により首口を適度に狭めるようになり、防寒効果を発揮する（図７（ｃ）の矢印参照）。また、袖口（肘口）も調整部材４の作用により丸め込むようになり、アーム（腕）にもフィットし、風の進入も防止する。
【００３４】
また、枕ＭＫとして使用するときは、図８（ａ）（ｂ）に示すように、一方のクッション１Ａと他方のクッション１Ｂとを各々が持つ一方の係止部２Ａと他方の係止部２Ｂとにより連結して２つの筒状のクッションＬＧ１，ＬＧ２とした後、一方の筒状のクッションＬＧ１を、図８の矢印の向きに、他方の筒状のクッションＬＧ２の中に収納することで、二重層の枕ＭＫとしての使用が可能になる。このとき、耳部５により２つの係止部２Ａ，２Ｂが隠れるようにすることで、それら２つの係止部２Ａ，２Ｂが外部から認識できなくできるとともに、枕ＭＫとしての使用するときに、線ファスナ等の２つの係止部２Ａ，２Ｂが身体（頭）に接触するような事態を防止することができる。
【００３５】
これより、多機能防寒具（クッション兼用のレッグウォーマ、クッション兼用のケープ、又は、ケープ兼用のレッグウォーマ）Ｚ１において、クッション兼用のレッグウォーマでは、一方のクッション１Ａと他方のクッション１Ｂとを一方の係止部２Ａと他方の係止部２Ｂとにより連結することで、例えば、膝掛けＨＫ、または座布団ＳＴ等に用いられるクッションとして使用できると共に、一方のクッション１Ａと他方のクッション１Ｂとを別々に連結することでレッグウォーマＬＧとしても使用することができる。また、クッション兼用のケープでは、一方のクッション１Ａと他方のクッション１Ｂとを前記一方の係止部２Ａと他方の係止部２Ｂとにより連結することで、例えば、膝掛けＨＫ、または座布団ＳＴ等に用いられるクッションとして使用できると共に、一方のクッション１Ａと他方のクッション１Ｂとを一方の係止部２Ａと他方の係止部２Ｂとにより一方を全部連結、他方を一部連結することで、ケープとしても使用することができる。また、ケープ兼用のレッグウォーマでは、一方のクッション１Ａと他方のクッション１Ｂとを一方の係止部２Ａと他方の係止部２Ｂとにより一方を全部連結、他方を一部連結することで、ケープとして使用できると共に、一方のクッション１Ａと他方のクッション１Ｂとを別々に連結することでレッグウォーマＬＧとしても使用することができる。
【００３６】
ここで、図１１（ａ）〜（ｅ）と図１２（ａ）〜（ｈ）に示すように、クッション１Ａ，１Ｂの区画部Ｋ１，Ｋ１に切り込み口を設けて、調整部材４の両端部がクッション１Ａ、１Ｂの外側に出るようにしてもよい。この場合、調整部材４として、伸縮性のあるゴム紐の両端部にプラスチック製のストッパー４ｓを取り付けたものを用いており、ストッパー４ｓを内側に寄せて上下辺１ｃ，１ｃを絞って短くし、これによりクッション１Ａ，１Ｂの左右辺１ｄ，１ｄを円弧状にすることができる。図１１に示す例では、上方側の調整部材４は、ゴム紐の両端部からストッパー４ｓを内側に寄せて辺１ｃを絞って短くしているが、下方側の方はほとんど絞っておらず長さ調節を行なっていない例である。これより、調整部材４の両端部をクッション１Ａ，１Ｂの内部や耳部５に固定しなくても、クッション１Ａ，１Ｂの左右辺１ｄ、１ｄを円弧状にすることができる。なお、図１１と図１２に示す例では、線ファスナが設けられているが、ケープとしての上方側にドットボタン（金属製の凹部と凸部による連結）Ｋｄが一対のものとして突出して取り付けられているので、ケープの正面側では、線ファスナを使用せずに、ドットボタンＫｄだけでも連結可能である。
また、複数のクッション、例えば、４つのクッション１Ａ、１Ｂ、１Ａ、１Ｂを連結して筒状にした場合には、図１０（ａ）に示すように、耳部５にボタンＢ（若しくは、面ファスナ等）を係止部２Ａ，２Ｂとして配置することで、向かい合う各２つのクッション１Ａ、１Ｂの耳部５同士を端部だけでなく中央部でも互いに装着させることができる。これにより、空洞を大きくすることなく、安定した形状のクッションを形成することができる。図１０は、上記第１の実施形態のクッションを４つ連結した状態を説明する図であって、図１０（ａ）は耳部のボタン（中央部）を装着する前の平面図、図１０（ｂ）は耳部のボタン（中央部）を装着した後の平面図である。
【００３７】
以上、上述した本考案の実施の形態では、クッション（一方のクッション及び他方のクッション）１Ａ，１Ｂを２個使用した多機能防寒具（クッション兼用のレッグウォーマ、クッション兼用のケープ、及び、ケープ兼用のレッグウォーマ）Ｚ１について説明したが、本考案は、その趣旨を逸脱しない範囲で適宜変更が可能であることは言うまでもない。
【符号の説明】
【００３８】
Ｚ１                多機能防寒具、
１Ａ                一方のクッション、
１Ｂ                他方のクッション、
１ｃ                上下の対向する辺、
１ｄ                左右の対向する辺、
２Ａ                一方の係止部（ファスナ）、
２Ｂ                他方の係止部（ファスナ）、
４                  調整部材、
５                  耳部、
Ｋ１                上下の区画部、
Ｎ，Ｎ１，Ｎ２，Ｎ３  縫合部、
ＨＫ                膝掛け、
ＫＰ                ケープ、
ＳＴ                座布団、
ＭＫ                枕、
ＬＧ                レッグウォーマ（アームウォーマ）
【図１】
0003155086.tif 000003
【図２】
0003155086.tif 000004
【図３】
0003155086.tif 000005
【図４】
0003155086.tif 000006
【図５】
0003155086.tif 000007
【図６】
0003155086.tif 000008
【図７】
0003155086.tif 000009
【図８】
0003155086.tif 000010
【図９】
0003155086.tif 000011
【図１０】
0003155086.tif 000012
【図１１】
0003155086.tif 000013
【図１２】
0003155086.tif 000014
【図１３】
0003155086.tif 000015
【図１４】
0003155086.tif 000016
【図１５】
0003155086.tif 000017
【図１６】
0003155086.tif 000018
【図１７】
0003155086.tif 000019